(57)【要約】【課題】足裏への熱伝導効果を高めると共に、省エネルギーを図ることができるようにする。【解決手段】足裏Ａ当接用の格子体１の第一の前面４は円弧面を前方へ突設するように設ける。格子体１の後方に空洞11を介して赤外線反射体２を設ける。赤外線反射体２の第二の前面13を格子体１に対向して設ける。足裏Ａをクッション材７を介して格子体１に当接したときに、足裏Ａの熱が変換された赤外線を出して、赤外線反射体２で反射して皮膚の薄い土踏まずＢ側に集中させて足裏Ａを温めるようにすることができ、足裏Ａを効率的に温めることができる。【選択図】図１
2010246690.tif 000002
【特許請求の範囲】
【請求項１】
足裏当接用の第一の前面を備えた格子体の後方に空洞を介して赤外線反射体を設けると共に、この赤外線反射体の第二の前面を前記格子体に対向させたことを特徴とする足温器。
【請求項２】
前記格子体には前後方向を貫通する貫通部が形成され、前記第二の前面は、前記格子体の中央部に正対向する前面中央部と、この前面中央部に前方へ斜め方向に隣接して前記中央部側に対向する前面斜め部とを備えたことを特徴とする請求項１記載の足温器。
【請求項３】
前記前面斜め部は前記前面中央部の上下方向に設けられたことを特徴とする請求項２記載の足温器。
【請求項４】
前記第一の前面の表面にクッション材が設けられ、前記格子体を支持する支持手段を具備していることを特徴とする請求項１〜３のいずれか１項に記載の足温器。
【発明の詳細な説明】
【技術分野】
【０００１】
本発明は、足温器に関するものである。
【背景技術】
【０００２】
従来、この種のものとして足裏を温める平板状の足温板と、該足温板を温める電気ヒータ又は温湯などの加熱源と、該足温板を支持する支持手段を具備し、前記支持手段は前記足温板の保持角度を調節可能にし、前記足温部板は、アルミ板又はその他の金属で構成したものが知られている（例えば特許文献１）。そして、この足温器では足温板の保持角度を調節可能としたので楽な姿勢で使用でき、椅子に座っていても使用でき、寝床でも使用できるので、使用範囲が広くなるというものである。
【先行技術文献】
【特許文献】
【０００３】
【特許文献１】特開２００５−２８７９０８公報
【発明の概要】
【発明が解決しようとする課題】
【０００４】
ところで、人間の足裏（又は足底ともいう）は、前側から大きく分けて指先側、土踏まず、踵（又はきびすともいう）を有する。土踏まずは足裏にあるアーチ形状の箇所であり、このアーチ形状の土踏まずがバネのように作用することで、足にかかる衝撃を緩和する役割を有する。そして、この土踏まずは、他の指先側或いは踵よりも皮膚が薄く形成されており、足裏にも多くの毛細血管があり、血液が循環しており、足温器では皮膚を介して血管、ひいては血液を温めることができ、足の冷えを阻止できるようになっていて、これは樹上生活の時の名残ではないかと考えられる。そのために、体の熱エネルギーが赤外線となって失われている。
【０００５】
前記従来技術においては、足温板が平板状であったので、足裏を足温板に当てたときには、足裏の指先側と踵側が足温板に当たることになり、土踏まずは足温板には当たりにくいこととなる。この結果、加熱源の熱は足温板から皮膚の厚い指先側と踵側に熱伝導しやすくなり、足裏、ひいては血管、血液を直ちに温めることはできないおそれがあった。
【０００６】
しかも、従来技術においては足温板を温めるための電気ヒータ、又は温湯などの加熱源を別途必要とするので、電気などのエネルギーを消費するものであった。
【０００７】
解決しようとする問題点は、足裏を温める足温器において、足裏への熱伝導効果を高めると共に、省エネルギーを図ることができるようにする点である。
【課題を解決するための手段】
【０００８】
前記目的を達成するために、請求項１の発明は、足裏当接用の第一の前面を備えた格子体の後方に空洞を介して赤外線反射体を設けると共に、この赤外線反射体の第二の前面を前記格子体に対向させたことを特徴とする足温器である。
【０００９】
請求項２の発明は、前記格子体には前後方向を貫通する貫通部が形成され、前記第二の前面は、前記格子体の中央部に正対向する前面中央部と、この前面中央部に前方へ斜め方向に隣接して前記中央部側に対向する前面斜め部とを備えたことを特徴とする請求項１記載の足温器である。
【００１０】
請求項３の発明は、前記前面斜め部は前記第二の前面の中央部の上下方向に設けられたことを特徴とする請求項２記載の足温器である。
【００１１】
請求項４の発明は、前記第一の前面の表面にクッション材が設けられ、前記格子体を支持する支持手段を具備していることを特徴とする請求項１〜３のいずれか１項に記載の足温器である。
【発明の効果】
【００１２】
請求項１の発明によれば、足裏から赤外線となって失われる熱エネルギーを皮膚の薄い土踏まず側に集中させて反射させることにより足裏を温めることができる。
【００１３】
請求項２の発明によれば、前面斜め部で反射した赤外線によっても、第一の前面の上下方向の中央部、ひいては土踏まず側を有効に温めることができる。
【００１４】
請求項３の発明によれば、前記第二の前面の中央部の上下方向に設けられた前面斜め部から赤外線を土踏まずに向けて反射することができる。
【００１５】
請求項４の発明によれば、足裏で第一の前面側を押圧しても足温器が倒れてしまうようなことはなく、安心して使用することができる。
【図面の簡単な説明】
【００１６】
【図１】本発明の実施例１を示す側面側の一部切り欠き斜視図である。
【図２】同分解斜視図である。
【図３】同後面側の斜視図である。
【図４】本発明の実施例２を示す第一の前面の正面図である。
【図５】同側面図である。
【図６】本発明の実施例３を示す第一の前面の正面図である。
【発明を実施するための形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１〜図３は実施例１を示しており、足温器は、足裏Ａを当接する格子体１と、この格子体１の後方に配置される熱の反射率が高く伝導性のよいアルミニウム又はアルミニウム合金などの金属板で斜部を有する船底状に形成した赤外線反射体２と、これら格子体１と反射体２を斜めや垂直に支え傾斜角度を調整するための支持手段３を有している。
【００１９】
前記格子体１は肩幅程度の横長な板状であって、例えばアルミニウム或いはその合金などの足を載せたときに破損しない程度の強度を有する材質によって形成されている。そして、この格子体１は、その第一の前面４は上下方向に伸びる円弧面によって形成されており、その曲率半径Ｒの中心Ｏは第一の前面４の縦幅方向中央の後方に配置されており、その曲率半径Ｒは、土踏まずＢの曲率半径Ｒと同一又はほぼ同一の同じ半径Ｒである（最大値）３００〜（最小値）１２０ｍｍに形成されている。尚、最小値である１２０ｍｍより小さいと、土踏まずＢの半径より第一の前面４の半径Ｒが小さすぎて土踏まずＢが第一の前面４に密着しずらく、逆に最大値である３００ｍｍより大きいと、土踏まずＢの半径Ｒより第一の前面４の半径Ｒが大きすぎて土踏まずＢが第一の前面４に密着しない。また、曲率半径Ｒの円弧長さＬは、ほぼ土踏まずＢがはみでないように土踏まずＢの長さと同じに形成されている。尚、この曲率半径Ｒ、円弧長さＬは、特定長さである必要はなく、曲率半径Ｒは足裏Ａが当接したとき疲れないようにするためにも必要である。
【００２０】
さらに、格子体１の第一の後面５も、第一の前面４と同様な形状に形成されており、そして、この格子体１には全面に前後を貫通する正面が円形の貫通部６が貫通孔となって均等に複数配置されている。この貫通部６は足が赤外線反射体２と一定の間隔を置くようにし、足裏Ａが直接赤外線反射体２に触れないようにして、赤外線反射体２により、反射赤外線を土踏まずＢに受けやすいようにするため開口面積を大きくできるように格子状に設けられている。
【００２１】
この第一の前面４の前方に、格子状の貫通部６に足が直接触れて痛くならないようにクッション材７を設ける。このクッション材７は第一の前面４の全面をほぼ覆うものであって、足裏Ａが疲れにくくすることと、格子体１に直接足裏Ａが接触することによって、足裏Ａの熱が格子体１に伝導して逃げることを防止することを目的としている。クッション材７は実施例では表布８の内側に木綿の綿９を詰め込んで形成した布団式のものであって、その上縁と下縁との間を結ぶ紐10を反射体２の後方を覆うように配置して結んで、クッション材７を第一の前面４の前方に一体的に固定しているものである。綿９は繊維が筒状になっていて質量が少ないので、赤外線をわずかしか吸収せず、足裏Ａに多くの赤外線を送ることができる。赤外線は浸透力が高いので、よく血液を温めることができる。尚、クッション材７としてのプラスチック系のスポンジは、赤外線を吸収して発熱するため、足裏Ａには伝導熱として伝わるため温められる。またこの固定手段は、紐10以外に接着、ボタン、フック、ファスナーなど適宜固定手段であればよい。
【００２２】
前記赤外線反射体２は、格子体１の後方に該格子体１に対向するように空洞11を形成するように間隔Ｍをおいて配置され、その上縁、下縁は連結部12を介して格子体１の上縁、下縁の固定されている。格子体１の第一の前面４と赤外線反射体２の第二の前面13との最大の間隔Ｍは遠赤外線の放射及びその反射で戻ってくることができる程度に形成されている。
【００２３】
この赤外線反射体２の第二の前面13は前記格子体１に対向しており、赤外線反射体２は例えば上述のようにアルミニウムまたはその合金などによって板状に形成されるものであり、その第二の前面13は鏡面状に形成されていることにより効果は高まる。そして赤外線反射体２の第二の前面13は、格子体１の上下方向の中央部にほぼ平行となって正対向する前面中央部14と、この前面中央部14に上方向において前方斜め方向に隣接して中央部側に対向する前面上斜め部15と、前面中央部14に下方向において前方斜め方向に隣接して中央部側に対向する前面下斜め部16とを備えている。尚、実施例では、前面中央部14、前面上斜め部15、前面下斜め部16はそれぞれ平面状であって、１枚の金属板を折り曲げて形成したものである。
【００２４】
前記支持手段３は、従来技術と同様に格子体１を所定の向きに保持するためのものであり、実施例では赤外線反射体２の第二の後面17の左右両側に、ブラケット状の固定板18が設けられ、この固定板18に支え脚19の先端が軸20を介して回動自在に連結されると共に、固定板18と支え脚19との間にボルト・摘み付きナット21が介在して、このボルト・摘み付きナット21により固定板18に対して支え脚19を所定角度に固定できるようになっている。
【００２５】
また、赤外線反射体２の第二の後面17には、補助のために赤外線反射体２を温める加熱源としての自己温度調節面状発熱体22が添着している。この自己温度調節面状発熱体22は温度調節器（図示せず）を介して商用電源が接続できるようになっている。尚、この自己温度調節面状発熱体22は断熱カバー23を後方に配置して取り付けられている。
【００２６】
次に前記構成についてその作用を説明する。布団や畳或いは床（いずれも図示せず）の上に足温器を設置する。この際、支持手段３により格子体１を足裏Ａに対向し易いように軸20を回転中心として角度調整して、ボルト・摘み付きナット21で固定する。そして、布団や畳の場合では仰向けに寝ている人の足裏Ａの土踏まずＢが格子体１に対向するようにクッション材７に土踏まずＢを当接する。また、床において椅子に座って土踏まずＢが格子体１に対向するようにクッション材７に土踏まずＢを当接する。
【００２７】
この土踏まずＢの格子体１側への当接によって、足裏Ａ側の熱は赤外線となってクッション材７を通して貫通部６、空洞11を通って第二の前面13に放射される。
【００２８】
そして、前記赤外線は第二の前面13によって格子体１へ向けて反射されることとなる。この反射にあっては、前面中央部14で反射した赤外線は正対向した格子体１の上下方向の中央部側に向けられる。また、前面上斜め部15で反射した赤外線は斜め下方に対向した格子体１の上下方向の中央部側に向けられる。さらに、前面下斜め部16で反射した赤外線は斜め上方に対向した格子体１の上下方向の中央部側に向けられる。この結果、反射した赤外線は土踏まずＢに向かうように格子体１の上下方向の中央部側に集められ、このように集められた赤外線は、貫通部６、クッション材７を通して、皮膚の薄い土踏まずＢの上下方向の中央部に伝達されて、これにより発熱する。そして、足裏Ａには多くの毛細血管があって、多くの血液が回っており、足裏Ａの中でも土踏まずＢは他の部分にくらべて皮膚が薄く、体内の熱を吸収しやすい箇所であります。この足裏Ａから赤外線など赤外線となって失われる熱を、足裏Ａの土踏まずＢに向けて反射させて、血液に吸収させれば血液から失われる熱の一部が補われ、その結果、体内の温度が高くなります。このため、体内の温度が高くなれば内蔵が温まり、腸の温度も高まるので、腸内細菌の働きが活発になり、健康に寄与することができる。
【００２９】
尚、自己温度調節面状発熱体22は、例えば冬季であっても、特に寒い日や或いは足裏Ａ温度が冷えているときに補助的に使用するものである。
【００３０】
このようにして、足裏Ａから赤外線などとなって失われる血液の熱を、足裏Ａの土踏まずＢに向けて反射させて、足裏Ａを回る血液に再び吸収させれば、失われるはずの熱の量が減少する。体の中ではほぼ一定の熱が絶えず造られているから、失われる熱の量が減少すれば体の内部の温度は上昇する。そして内部の熱が上がれば、当然腸の温度も上がり、腸内細菌の働きが活発になり、食べたものの消化吸収が良くなって、健康になる。
【００３１】
これに対して、体の表面は入浴などで簡単に温めることができますが、体の内部まではなかなか温まりません。ここで重要なことは、内臓の温度、特に腸内の温度を高めて、腸内細菌の働きを活発にし、消化をよくすることである。
【００３２】
半身浴は体の内部を温めるには良い方法ですが、時間が長くかかる欠点がある。これに対して、前記実施例ではそのような欠点を補い、例えば寝ている間に体を内部から温め、腸内細菌の働きを活発にすることができる。
【００３３】
さらに、赤外線反射体２を熱伝導率の高いアルミニウムまたはその合金により形成することで、この赤外線反射体２により、足裏Ａからの赤外線を反射させるだけではなく、赤外線反射体２自体も赤外線の一部を吸収して温かくなっているから、足裏Ａに向けて赤外線を発することができる。その場合、熱伝導率が高いから、一部分で受けた熱が全体に広がり易く、足を移動しても土踏まずＢの温かさを維持することができる。また、赤外線反射体２の後面に発熱体22を補助的に設けた場合も、すぐに表面も温かくなり、赤外線反射体２自体も全体に温かくなっているから、足を移動しても土踏まずＢはすぐに赤外線を受けられる。
【００３４】
以上のように、前記実施例では足裏Ａ当接用の第一の前面４を備えた格子体１の後方に空洞11を介して赤外線反射体２を設けると共に、この赤外線反射体２の第二の前面13を前記格子体１に対向していることで、足裏Ａの熱をいったん赤外線に変換して、これを反射して皮膚の薄い土踏まずＢ側に集中させて足裏Ａを温めるようにすることができ、足裏Ａを効率的に温めることができる。
【００３５】
足裏Ａの土踏まずＢは、多くの毛細血管が通っていて、皮膚が足裏Ａでは他の部位よりも薄いために、外部からの熱も吸収しやすくなっており、足裏Ａからの赤外線となって逃げていく熱エネルギーを土踏まずＢに向けて反射させることにより、足裏Ａを温め、血液に再び吸収されて体温の低下を少なくできる。また、赤外線（又は輻射熱）反射体２も、足裏Ａから出る赤外線の一部を吸収して、温められ、赤外線を土踏まずＢに向けて放射し、その赤外線のエネルギーも足裏Ａで血液に吸収されて熱となる。体内の温度も高くなり、腸内細菌の働きが活発になり、健康に寄与できる。
【００３６】
また、格子体１には前後方向を貫通する貫通部６が形成され、足裏Ａから放射される赤外線がクッション材７及び直接貫通部６を介して赤外線を第二の前面13に放射することができ、さらに第二の前面13は、格子体１の中央部に正対向する前面中央部14と、この前面中央部14に前方へ斜め方向に隣接して中央部側に対向する前面上斜め部15、前面下斜め部16とを備えたことにより、前面中央部14で反射した赤外線のみならず前面上斜め部15、前面下斜め部16で反射した赤外線によっても、第一の前面４の上下方向の中央部、ひいては土踏まずＢ側を有効に温めることができる。
【００３７】
さらに、前記円弧面の円弧方向は上下方向であり、前面上斜め部15、前面下斜め部16は前面中央部14の上下方向に設けられたことにより、仰向けに伏した状態や椅子に座った状態で足裏Ａを、楽な姿勢で第一の前面４に当接することができる。
【００３８】
また、第一の前面４の表面にクッション材７が設けられているので、足裏Ａと第一の前面４とが間接的に密着し易く、格子体１を支持する支持手段３を具備しているので、足裏Ａで第一の前面４側を押圧しても足温器が倒れてしまうようなことはなく、長時間安心して使用することができる。
【実施例２】
【００３９】
以下に、他の実施例について説明する。尚、前記実施例１と同一部分には同一符号を付し、その詳細な説明を省略する。
【００４０】
図４，５は実施例２を示しており、実施例２においては、格子体１´の貫通部６´を正面矩形の貫通孔に形成し、さらに第二の前面13´を、後方へ窪むように上下方向に円弧を連続して描くような断面を有する板材によって形成したものである。
【００４１】
このような実施例２においても、実施例１と同様な作用効果を奏する。
【実施例３】
【００４２】
図６は実施例３を示しており、実施例３においては、格子体１´´の貫通部６´´を正面正六角形の貫通孔に形成したものである。
【００４３】
このような実施例３においても、実施例１と同様な作用効果を奏するものであり、特に貫通部６´´を正面正六角形としたことで、ハニカム構造となり、強度の向上を図ることができる。
【産業上の利用可能性】
【００４４】
以上のように本発明に係る足温器は、各種の用途に適用できる。
【符号の説明】
【００４５】
１  格子体
２  赤外線反射体
４  第一の前面
６  貫通部
７  クッション材
11  空洞
13  第二の前面
14  前面中央部
15  前面上斜め部（前面斜め部）
16  前面下斜め部（前面斜め部）
Ａ  足裏
Ｂ  土踏まず
【図１】
2010246690.tif 000003
【図２】
2010246690.tif 000004
【図３】
2010246690.tif 000005
【図４】
2010246690.tif 000006
【図５】
2010246690.tif 000007
【図６】
2010246690.tif 000008